(57)【要約】【課題】  漏洩液貯留部に貯まる漏洩液の量を減らすとともに、漏洩液中の油分を少なくして漏洩液貯留部を清掃する際の手間をできるだけ軽減する。【解決手段】  防音ケース１内にエンジン及び該エンジンにより駆動される作業機本体が配設され、前記作業機本体の上側空間に前記エンジン用の燃料タンク３が配設され、防音ケース１は作業機基台１４の上に配置されていて、該作業機基台１４の中には、上方が開口していて内部に燃料，エンジンオイル，雨水等の漏洩液を貯留可能な漏洩液貯留部２が配設されている。そのようなエンジン駆動作業機において、燃料タンク３の上面に給油口３ａを設け、該給油口３ａの周囲を囲むように有底の環状壁３ｂを設け、作業機基台１４の上面に着脱自在に燃料受け容器５を設ける。そして、燃料排出ホース４を、一端が環状壁３ｂと給油口３ａとの間にできる内部空間の底部に連通し、他端が燃料受け容器５に挿入されるように設ける。【選択図】        図１
2016044616.tif 000002
【特許請求の範囲】
【請求項１】
防音ケース内にエンジン及び該エンジンにより駆動される作業機本体が配設され、前記作業機本体の上側空間に前記エンジン用の燃料タンクが配設され、前記防音ケースは作業機基台の上に配置されていて、該作業機基台の中には、上方が開口していて内部に液体を貯留可能な漏洩液貯留部が設けられたエンジン駆動作業機であって、
前記燃料タンクの上面に給油口を設け、該給油口の周囲を囲むように有底の環状壁を設け、前記作業機基台の上面に着脱自在に燃料受け容器を設け、一端が前記環状壁と前記給油口との間にできる内部空間の底部に連通し、他端が前記燃料受け容器に挿入されるように燃料排出ホースを設けたことを特徴とするエンジン駆動作業機。
【請求項２】
前記燃料受け容器は、前記作業機基台の上面に設けた容器支持枠に挿入することにより保持し、前記燃料受け容器には、その前面から突出するようにスタッドボルトを設け、前記容器支持枠には、上方に開口して前記スタッドボルトを挿通可能なＵ溝を設け、該Ｕ溝に前記スタッドボルトを挿入しながら、前記容器支持枠に前記燃料受け容器を挿入した状態で前記スタッドボルトに蝶ナットを締め付けて、前記容器支持枠に前記燃料受け容器を固定するようにしたことを特徴とする請求項１に記載のエンジン駆動作業機。
【請求項３】
前記燃料受け容器の上方開口部を横切るように取手を設け、前記燃料排出ホースは、先端より手前の部分を前記防音ケース内の構造部分に固定し、先端部を前記燃料受け容器の壁面と前記取手との間に挿入して保持するようにしたことを特徴とする請求項１又は２に記載のエンジン駆動作業機。
【請求項４】
前記燃料受け容器の上縁部に切欠を設けたことを特徴とする請求項１，２又は３に記載のエンジン駆動作業機。
【発明の詳細な説明】
【技術分野】
【０００１】
本発明は、主として屋外で使用されるエンジン駆動発電機，エンジン駆動溶接機，エンジン駆動コンプレッサ等のエンジン駆動作業機に関するものである。
【背景技術】
【０００２】
屋外の建設工事等で使用されるエンジン駆動作業機は、例えば、特許文献１に示されるように、図１０に示すような、金属製の防音ケース１内に発電機，溶接機，コンプレッサ等の作業機本体１１及び該作業機本体を駆動するためのエンジン１２が収納されている。そして、作業機の運転中には、作業機本体１１，エンジン１２及びその熱交換器等が発熱するため、内部でエンジンファン１３を回転させ、外気を吸気口から取り込み、それを防音ケース１内に流して各部を冷却した後、外部へ排出する。
【０００３】
このようなエンジン駆動作業機では、内部で多量の燃料，エンジンオイルを用いており、故障や誤操作等によりそれらの燃料やエンジンオイルが外部に漏れ出ると、周囲の環境を害してしまう。そのため、エンジン駆動作業機の下部に漏洩液貯留部２を設けて、エンジンや作業機本体等から燃料やエンジンオイルが漏れ出ることがあっても、それらを漏洩液貯留部２に溜めておいて、燃料やエンジンオイル等が外部に漏れ出ることがないようにしている。
【０００４】
漏洩液貯留部２は、燃料，エンジンオイル等の漏洩液を受けて貯留しておけるような箱形容器となっており、その内部には、幅方向に延びるガイド壁２１〜２３が設けられており、下側には移動用の車輪２４が設けられている。一方、防音ケース１は、作業機基台１４の上に設けられており、作業機基台１４の下側には、矩形の枠体１５，１６が設けられている。そして、それらの枠体１５，１６を漏洩液貯留部２の側壁とガイド壁２１の間、及びガイド壁２２とガイド壁２３の間に挿入することにより、漏洩液貯留部２の上に防音ケース１を安定的に固定するようにしている。
【０００５】
防音ケース１の上面中央部には、エンジン駆動作業機の幅方向に凹溝１７が設けられていて、凹溝１７の長さ方向中央部には、移動時等にワイヤを掛けてエンジン駆動作業機を吊り上げるための吊り金具１８が設けられている。
【０００６】
ところで、エンジン駆動作業機では、一般に、作業機本体１１の高さはエンジン１２の高さよりも低く、防音ケース１内で、作業機本体１１の上部には比較的広い空間が存在していた。そこで、このエンジン駆動作業機では、燃料タンク３を作業機本体１１の上に配置することにより、空間を有効に利用して、エンジン駆動作業機のコンパクト化を図っている。
【０００７】
図１１に示すように、燃料タンク３は、上面に給油口３ａが設けられており、その給油口３ａの周りを囲むように、有底の内側環状壁３ｂと外側環状壁３ｃが設けられていて、給油口３ａと内側環状壁３ｂを覆うように蓋３ｄが設けられている。また、給油口３ａと内側環状壁３ｂの間に形成される内部空間の底部には、開口部が形成され、それに排出管３ｆが接続されていて、その排出管３ｆの他端部は、漏洩液貯留部２に案内されている。
【０００８】
そして、燃料タンク３に燃料を注入する際に、燃料が給油口３ａの周りにこぼれ出しても、こぼれた燃料は、給油口３ａと内側環状壁３ｂの間に形成される内部空間で受け止められ、そこから排出管３ｆを通して漏洩液貯留部２に導かれ、そこに貯められる。
【０００９】
このようにすれば、燃料タンク３への給油時に給油口３ａから燃料がこぼれることがあっても、こぼれた燃料がエンジン等の高温部材に接して火災等が発生することもなく、機外に漏れ出て環境を害することもなくなる。
【００１０】
また、蓋３ｄと外側環状壁３ｃの隙間から雨水が入り込むことがあっても、外側環状壁３ｃと内側環状壁３ｂの間に形成される空間で雨水が受け止められ、該空間と前記凹溝１７との間に設けられた導水部を通って、凹溝１７に排出され、凹溝１７を通して外部に排出される。
【先行技術文献】
【特許文献】
【００１１】
【特許文献１】特開２０１２−２１９７０４号公報
【発明の概要】
【発明が解決しようとする課題】
【００１２】
しかしながら、上記従来のエンジン駆動作業機では、給油口３ａからこぼれた燃料は、すべて排出管３ｆを通して漏洩液貯留部２に導かれ貯められるため、漏洩液貯留部２内の漏洩液の量が多くなって、漏洩液貯留部２を清掃する際に漏洩液の排出に時間がかかり、手間もかかるという問題点があった。すなわち、漏洩液貯留部２を清掃する際に、燃料，エンジンオイル，雨水等の漏洩液をドレンから排出し、漏洩液貯留部２と作業機基台１４とを分離してから漏洩液貯留部２の内部を清掃しなければならず、漏洩液が多いと排出に時間がかかり、手間もかかるのである。また、漏洩液貯留部２の中に油分が多くなるほど清掃に手間がかかる。
【００１３】
本発明は、そのような問題点に鑑み、漏洩液貯留部２に貯まる漏洩液の量を少しでも減らすとともに、漏洩液中の油分を少なくして漏洩液貯留部２を清掃する際の手間をできるだけ軽減することを目的とするものである。
【課題を解決するための手段】
【００１４】
前記課題を解決するため、本願の請求項１にかかる発明は、防音ケース内にエンジン及び該エンジンにより駆動される作業機本体が配設され、前記作業機本体の上側空間に前記エンジン用の燃料タンクが配設され、前記防音ケースは作業機基台の上に配置されていて、該作業機基台の中には、上方が開口していて内部に液体を貯留可能な漏洩液貯留部が設けられたエンジン駆動作業機であって、前記燃料タンクの上面に給油口を設け、該給油口の周囲を囲むように有底の環状壁を設け、前記作業機基台の上面に着脱自在に燃料受け容器を設け、一端が前記環状壁と前記給油口との間にできる内部空間の底部に連通し、他端が前記燃料受け容器に挿入されるように燃料排出ホースを設けたことを特徴とする。
【００１５】
また、本願の請求項２にかかる発明は、請求項１にかかる発明において、前記燃料受け容器は、前記作業機基台の上面に設けた容器支持枠に挿入することにより保持し、前記燃料受け容器には、その前面から突出するようにスタッドボルトを設け、前記容器支持枠には、上方に開口して前記スタッドボルトを挿通可能なＵ溝を設け、該Ｕ溝に前記スタッドボルトを挿入しながら、前記容器支持枠に前記燃料受け容器を挿入した状態で前記スタッドボルトに蝶ナットを締め付けて、前記容器支持枠に前記燃料受け容器を固定するようにしたことを特徴とする。
【００１６】
また、本願の請求項３にかかる発明は、請求項１又は２にかかる発明において、前記燃料受け容器の上方開口部を横切るように取手を設け、前記燃料排出ホースは、先端より手前の部分を前記防音ケース内の構造部分に固定し、先端部を前記燃料受け容器の壁面と前記取手との間に挿入して保持するようにしたことを特徴とする。
【００１７】
また、本願の請求項４にかかる発明は、請求項１，２又は３にかかる発明において、前記燃料受け容器の上縁部に切欠を設けたことを特徴とする。
【発明の効果】
【００１８】
本発明は、次のような効果を奏する。
すなわち、請求項１にかかる発明においては、燃料タンク上面の給油口の周囲を囲むように有底の環状壁を設け、作業機基台の上面に着脱自在に燃料受け容器を設け、一端が前記環状壁と前記給油口との間にできる内部空間の底部に連通し、他端が前記燃料受け容器に挿入されるように燃料排出ホースを設けた。その結果、燃料給油時に環状壁内にこぼれた燃料が直接燃料受け容器に導かれるので、漏洩液貯留部に貯まる漏洩液の量を減らすことができ、かつ、漏洩液中の油分を少なくすることができて、漏洩液貯留部を清掃する際の手間を軽減することができる。
【００１９】
また、請求項２にかかる発明においては、請求項１にかかるエンジン駆動作業機において、前記燃料受け容器は、前記作業機基台の上面に設けた容器支持枠に挿入することにより保持し、前記燃料受け容器には、その前面から突出するようにスタッドボルトを設け、前記容器支持枠には、上方に開口して前記スタッドボルトを挿通可能なＵ溝を設け、該Ｕ溝に前記スタッドボルトを挿入しながら、前記容器支持枠に前記燃料受け容器を挿入した状態で前記スタッドボルトに蝶ナットを締め付けて、前記容器支持枠に前記燃料受け容器を固定するようにした。その結果、蝶ナットを締め付けるだけで燃料受け容器を容器支持枠に強固に固定でき、蝶ナットを緩めるだけで燃料受け容器を簡単に取り外すことができる。
【００２０】
また、請求項３にかかる発明においては、請求項１又は２にかかるエンジン駆動作業機において、前記燃料受け容器の上方開口部を横切るように取手を設け、前記燃料排出ホースは、先端より手前の部分を前記防音ケース内の構造部分に固定し、先端部を前記燃料受け容器の壁面と前記取手との間に挿入して保持するようにした。その結果、燃料受け容器を容器支持枠から取り外して中に貯まった燃料を処分する際に、燃料受け容器と燃料排出ホースとの分離が容易になる。
【００２１】
また、請求項４にかかる発明においては、請求項１，２又は３にかかるエンジン駆動作業機において、前記燃料受け容器の上縁部に切欠を設けたので、燃料受け容器の中の燃料が満杯になったとき、溢れた燃料を切欠を通して漏洩液貯留部の中に流し、外部に漏れ出るのを防止することができる。
【図面の簡単な説明】
【００２２】
【図１】燃料タンクと燃料受け容器の位置関係を示す図である。
【図２】燃料タンクの給油口周辺の構造を示す図である。
【図３】燃料受け容器の取付構造を示す図である。
【図４】第１実施例の燃料受け容器を示す図である。
【図５】第１実施例の容器ブラケットを示す図である。
【図６】第１実施例の燃料受け容器と容器ブラケットの斜視図である。
【図７】第２実施例の燃料受け容器を示す図である。
【図８】第２実施例の容器ブラケットを示す図である。
【図９】第２実施例の燃料受け容器と容器ブラケットを示す図である。
【図１０】従来のエンジン駆動作業機を示す図である。
【図１１】図１０のエンジン駆動作業機の燃料タンクを示す図である。
【発明を実施するための形態】
【００２３】
以下、本発明の実施例を図面に基づいて詳細に説明する。
【実施例１】
【００２４】
図１は、燃料タンクと燃料受け容器の位置関係を示す図である。図１において、符号は、図１０，図１１のものに対応しており、５は燃料受け容器、６は容器ブラケットである。このエンジン駆動作業機では、作業機基台１４の上面に容器ブラケット６を取り付け、その中に着脱自在に燃料受け容器５を設けている。そして、燃料タンク３の内側環状壁３ｂと給油口３ａとの間にできる内部空間の底部に、燃料排出ホース４の一端を連通させ、燃料排出ホース４の他端を、燃料受け容器５に挿入するように設けている。
【００２５】
図２は、燃料タンクの給油口周辺の構造を示す図である。燃料タンク３は、上面に給油口３ａが設けられており、その給油口３ａの周りを囲むように、有底の内側環状壁３ｂと外側環状壁３ｃが設けられていて、それらを覆うように蓋３ｄが設けられている。給油口３ａと内側環状壁３ｂの底部との間には、給油口シールゴム３ｅが装着されていて、給油口３ａと内側環状壁３ｂの間に形成される空間が密封されている。また、内側環状壁３ｂの下端部に一つの開口部が形成されていて、その開口部には、排出管３ｆが接続されており、その排出管３ｆに燃料排出ホース４の一端が接続されている。
【００２６】
そのようにして、燃料タンク３に燃料を注入する際に、燃料が給油口３ａの周りにこぼれ出しても、こぼれた燃料は、給油口３ａと内側環状壁３ｂの間に形成される内部空間で受け止められ、そこから燃料排出ホース４を通して燃料受け容器５に導かれ、そこに貯められて、漏洩液貯留部２には流れ込まないようにしている。
【００２７】
次に、図３を参照しながら燃料受け容器の取付構造について説明する。容器ブラケット６を作業機基台１４の上面にボルトで固定し、後述する容器支持枠６ｃの中に燃料受け容器５を挿入することにより、燃料受け容器５を着脱自在に固定する。
【００２８】
燃料受け容器５は、図４に示すような構造をしており、金属製で箱型の容器本体５ａの両側壁にＬ形材５ｂ，５ｂを溶接して固着し、そのＬ形材５ｂ，５ｂに、逆Ｕ字形の取手５ｃの両端部を溶接により取り付けている。その際、取手５ｃが容器本体５ａの前側に偏らせて取り付け、容器本体５ａの前側の壁と取手５ｃとの間に燃料排出ホース４の先端部を挿入することにより、燃料排出ホース４の先端が安定的に保持できるようにしている。
【００２９】
また、容器本体５ａの前面には、前面に対して垂直にスタッドボルト５ｄを設けている。このスタッドボルト５ｄには、後述する蝶ナット５ｆを螺合させる。さらに、容器本体５ａの後側の壁の上縁は、他の部分より低くして切欠５ｅを形成している。この切欠５ｅは、容器本体５ａが漏れた燃料で満杯になったとき、この切欠５ｅから溢れる燃料を漏洩液貯留部２の中に流下させるためのものである。
【００３０】
一方、容器ブラケット６は、図５に示すような構造をしており、ブラケット底板６ａの後端縁からブラケット背板６ｂを立設し、その上端部に、燃料受け容器５を収納可能な容器支持枠６ｃが設けられている。ブラケット底板６ａの左右両側には、容器ブラケット６を作業機基台１４に固定するためのボルトを通すためのボルト孔６ｅ，６ｅが設けられている。また、容器支持枠６ｃの前側上縁には、燃料受け容器５のスタッドボルト５ｄを通すことができるＵ溝６ｄが設けられている。
【００３１】
この容器ブラケット６に、燃料受け容器５を装着した状態を図６に示す。容器ブラケット６が作業機基台１４に取り付けられている状態において、スタッドボルト５ｄに螺合した蝶ナット５ｆを緩めておき、スタッドボルト５ｄを容器ブラケット６のＵ溝６ｄに合わせて、容器本体５ａを上から容器ブラケット６の容器支持枠６ｃの中に挿入する。
【００３２】
そして、燃料受け容器５のＬ形材５ｂが容器ブラケット６の容器支持枠６ｃの上縁に当接して、燃料受け容器５の高さ位置が決まり、その際、容器本体５ａの底部はブラケット底板６ａから少し浮いた状態になるようにしている。そのように、容器本体５ａを浮かせているため、容器本体５ａの底部へはブラケット底板６ａから直接振動が伝わらない。また、燃料受け容器５のスタッドボルト５ｄは、容器ブラケット６のＵ溝６ｄの中にピッタリ納まった状態になる。その状態で蝶ナット５ｆを締め付ければ、燃料受け容器５が容器ブラケット６に強固に固定され、ガタツキがなくなる。
【００３３】
そして、燃料タンク３に燃料を注入する際に、給油口３ａの周りにこぼれ出た燃料は、給油口３ａと内側環状壁３ｂの間に形成される内部空間、燃料排出ホース４を経て、燃料受け容器５に貯められるが、燃料受け容器５が満杯近くになったら、容器ブラケット６から燃料受け容器５を取り出して、燃料受け容器５内に貯まった漏洩液を別の容器に移す。その際、燃料排出ホース４の先端部を燃料受け容器５から取り外し、蝶ナット５ｆを緩めてから、取手５ｃを持って燃料受け容器５を上に引き上げ、容器ブラケット６から取り出す。その後、燃料受け容器５内の漏洩液を別の容器に移したら、上記と逆の手順で燃料受け容器５を容器ブラケット６に戻す。
【実施例２】
【００３４】
図７は、第２実施例の燃料受け容器を示す図である。符号は、図４のものに対応している。この実施例では、Ｌ形材５ｂを設けずに、取手５ｃの両端部を容器本体５ａの内面に溶接し、取手５ｃの高さを容器本体５ａの上縁の高さに合わせている。そのようにして、燃料受け容器５の上方に何らかの部材があって十分なスペースがない場合でも、燃料受け容器５を容器ブラケット６から引き抜くことができるようにしている。
【００３５】
図８は、第２実施例の容器ブラケットを示す図である。符号は、図５のものに対応しており、６ｆはゴムクッションである。この実施例では、燃料受け容器５の側壁にＬ形材を設けていないため、Ｌ形材と容器支持枠６ｃ上縁とによる燃料受け容器５の支持ができない。そこで、容器ブラケット６のブラケット底板６ａに、ゴムクッション６ｆを嵌め込むことで、燃料受け容器５の底面をゴムクッション６ｆで受けるようにしている。
【００３６】
この容器ブラケット６に、燃料受け容器５を装着した状態を図９に示す。容器ブラケット６が作業機基台１４に取り付けられている状態において、スタッドボルト５ｄに螺合した蝶ナット５ｆを緩めておき、スタッドボルト５ｄを容器ブラケット６のＵ溝６ｄに合わせて、容器本体５ａを上から容器ブラケット６の容器支持枠６ｃの中に挿入する。
【００３７】
そして、燃料受け容器５の底部が容器ブラケット６のゴムクッション６ｆに当接して、燃料受け容器５の位置が決まる。そのように、燃料受け容器５の底部と容器ブラケット６のブラケット底板６ａとの間にゴムクッション６ｆが介在するため、容器本体５ａの底部へはブラケット底板６ａから振動が緩和される。また、燃料受け容器５のスタッドボルト５ｄは、容器ブラケット６のＵ溝６ｄの中にピッタリ納まった状態になる。その状態で蝶ナット５ｆを締め付ければ、燃料受け容器５が容器ブラケット６に強固に固定され、ガタツキがなくなる。
【符号の説明】
【００３８】
１  防音ケース
２  漏洩液貯留部
３  燃料タンク
３ａ  給油口
３ｂ  内側環状壁
３ｃ  外側環状壁
３ｄ  蓋
３ｅ  給油口シールゴム
３ｆ  排出管
４  燃料排出ホース
５  燃料受け容器
５ａ  容器本体
５ｂ  Ｌ形材
５ｃ  取手
５ｄ  スタッドボルト
５ｅ  切欠
５ｆ  蝶ナット
６  容器ブラケット
６ａ  ブラケット底板
６ｂ  ブラケット背板
６ｃ  容器支持枠
６ｄ  Ｕ溝
６ｅ  ボルト孔
６ｆ  ゴムクッション
１４  作業機基台
１７  凹溝
１８  吊り金具
【図１】
2016044616.tif 000003
【図２】
2016044616.tif 000004
【図３】
2016044616.tif 000005
【図４】
2016044616.tif 000006
【図５】
2016044616.tif 000007
【図６】
2016044616.tif 000008
【図７】
2016044616.tif 000009
【図８】
2016044616.tif 000010
【図９】
2016044616.tif 000011
【図１０】
2016044616.tif 000012
【図１１】
2016044616.tif 000013